(57)【要約】【課題】移動端末における移動に伴う通信チャネルの切り替えを効率的に行う。【解決手段】移動端末１０ａ〜１０ｄにて指定される現在位置情報及び目的地情報に基づいて、移動端末１０ａ〜１０ｄが、現在位置から目的地までにて通信を行う無線基地局を決定し、経路情報として移動端末１０ａから１０ｄに通知する経路情報管理装置４０を設け、移動端末１０ａ〜１０ｄにおいて、移動に伴って通信チャネルを切り替える必要が生じた場合に、経路情報管理装置４０から通知された経路情報に基づいて、通信を行う通信チャネルを切り替える。【選択図】  図１
2004363876.tif 000002
【特許請求の範囲】
【請求項１】
移動端末と、それぞれ異なる通信チャネルにて前記移動端末と通信を行う複数の無線基地局とを少なくとも有してなる移動体通信システムにおいて、
前記移動端末にて指定される現在位置情報及び目的地情報に基づいて、前記移動端末が、現在位置から目的地までにて通信を行う無線基地局を決定し、経路情報として前記移動端末に通知する経路情報管理手段を有し、
前記移動端末は、移動に伴って通信チャネルを切り替える必要が生じた場合に、前記経路情報管理手段から通知された前記経路情報に基づいて、通信を行う通信チャネルを切り替えることを特徴とする移動体通信システム。
【請求項２】
請求項１に記載の移動体通信システムにおいて、
前記経路情報管理手段は、
前記移動端末にて指定された現在位置情報及び目的地情報が入力される入力手段と、
前記複数の無線基地局の配置情報が記憶された記憶手段と、
前記入力手段を介して入力された前記現在位置情報及び目的地情報に基づいて、前記移動端末の移動経路を少なくとも１つ設定し、前記記憶手段を参照して、設定された移動経路にて通信可能な無線基地局を抽出する処理手段と、
前記処理手段にて抽出された無線基地局が前記移動経路毎に順次指定可能となるような経路情報を前記移動端末に通知する出力手段とを有することを特徴とする移動体通信システム。
【請求項３】
請求項１または請求項２に記載の移動体通信システムにおいて、
前記移動端末は、前記経路情報管理手段から通知された経路情報を保持し、移動に伴って通信チャネルを切り替える必要が生じた場合に、前記経路情報に基づいて、通信を行う通信チャネルを切り替えることを特徴とする移動体通信システム。
【請求項４】
移動端末と、それぞれ異なる通信チャネルにて前記移動端末と通信を行う複数の無線基地局とを少なくとも有してなる移動体通信システムにおけるチャネル切替方法であって、
前記移動端末の現在位置情報及び目的地情報を指定する処理と、
前記指定された現在位置情報及び目的地情報に基づいて、前記移動端末が、現在位置から目的地までにて通信を行う無線基地局を決定し、経路情報として前記移動端末に通知する処理と、
前記移動端末が移動に伴って通信チャネルを切り替える必要が生じた場合に、前記経路情報に基づいて、通信を行う通信チャネルを切り替える処理とを順次行うことを特徴とする移動体通信システムにおけるチャネル切替方法。
【請求項５】
請求項４に記載の移動体通信システムにおけるチャネル切替方法おいて、
前記複数の無線基地局の配置情報を記憶しておき、
前記移動端末の前記現在位置情報及び目的地情報が指定された場合に、該現在位置情報及び目的地情報に基づいて、前記移動端末の移動経路を少なくとも１つ設定する処理と、
前記設定された移動経路にて通信可能な無線基地局を、記憶された無線基地局の中から抽出する処理と、
前記抽出された無線基地局が前記移動経路毎に順次指定可能となるような経路情報を前記移動端末に通知する処理とを順次行うことを特徴とする移動体通信システムにおけるチャネル切替方法。
【請求項６】
請求項４または請求項５に記載の移動体通信システムにおけるチャネル切替方法において、
前記移動端末にて、通知された経路情報を保持しておき、移動に伴って通信チャネルを切り替える必要が生じた場合に、前記経路情報に基づいて、通信を行う通信チャネルを切り替えることを特徴とする移動体通信システムにおけるチャネル切替方法。
【発明の詳細な説明】
【０００１】
【発明の属する技術分野】
本発明は、携帯電話機等の移動端末を用いて通信を行う移動体通信システム及び移動体通信システムにおけるチャネル切替方法に関する。
【０００２】
【従来の技術】
図５は、従来の移動体通信システムの一構成例を示す図である。
【０００３】
本従来例は図５に示すように、それぞれ通信可能な領域となるセル１３０ａ〜１３０ｄを有する無線基地局１２０ａ〜１２０ｄと、セル１３０ａ〜１３０ｄ間を移動可能に設けられ、存在するセル１３０ａ〜１３０ｄの無線基地局１２０ａ〜１２０ｄとの間にて無線基地局１２０ａ〜１２０ｄの通信チャネルによって通信を行う移動端末１１０ａ〜１１０ｄとから構成されている。なお、本形態においては、無線基地局１２０ａのセル１３０ａ内に移動端末１１０ａ，１１０ｂが存在し、また、無線基地局１２０ｃのセル１３０ｃ内に移動端末１１０ｃが存在し、また、無線基地局１２０ｄのセル１３０ｄ内に移動端末１１０ｃが存在している。また、無線基地局１２０ａ〜１２０ｄ及び移動端末１１０ａ〜１１０ｄの数は、図示したものに限らない。
【０００４】
上記のように構成された移動体通信システムにおいては、移動端末１１０ａ〜１１０ｄにおいて、無線基地局１２０ａ〜１２０ｄからの受信電界強度に基づいて、最適な通信チャネルを用いて通信を行うように設定されているため、セル１３０ａ内に存在する移動端末１１０ａ，１１０ｂは、無線基地局１２０ａの通信チャネルによって無線基地局１２０ａとの間にて通信を行い、また、セル１３０ｃ内に存在する移動端末１１０ｃは、無線基地局１２０ｃの通信チャネルによって無線基地局１２０ｃとの間にて通信を行い、また、セル１３０ｄ内に存在する移動端末１１０ｄは、無線基地局１２０ｄの通信チャネルによって無線基地局１２０ｄとの間にて通信を行うことになる。また、セル１３０ａ〜１３０ｄが互いに重なる領域においては、移動端末１１０ａ〜１１０ｄは、そのセルを有する全ての無線基地局の通信チャネルを用いて通信を行うことができるが、実際には、その中から最適な通信チャネルが選択され、その通信チャネルを用いて通信が行われることになる。このため、例えば、移動端末１１０ａが、図５に示すように、Ａ地点からＢ地点に移動する場合、移動端末１１０ａは、無線基地局１２０ａの通信チャネルによって無線基地局１２０ａとの間にて通信を行った後、無線基地局１２０ｂ，１２０ｃ，１２０ｄと、通信チャネルを順次切り替えて通信を行うことになる。
【０００５】
しかしながら、上述したような従来の移動体通信システムにおいては、移動端末１１０ａ〜１１０ｄにおける無線基地局１２０ａ〜１２０ｄからの受信電界強度のみに基づいて最適な通信チャネルが選択されているため、移動端末１１０ａ〜１１０ｄの目的地までの経路によっては、通信チャネルの無駄な切り替えが生じてしまう場合がある。例えば、図５に示すように、Ａ地点からＢ地点に移動する場合は、移動端末１１０ａは、無線基地局１２０ａの通信チャネルによって無線基地局１２０ａとの間にて通信を行った後、無線基地局１２０ｂ，１２０ｃ，１２０ｄと、通信を行う無線基地局を順次切り替えて通信を行うことになるが、移動端末１１０ａにおける受信電界強度が規定値以上あれば、無線基地局１２０ａの通信チャネルによって無線基地局１２０ａとの間にて通信を行った後、無線基地局１２０ｂ，１２０ｄと、通信チャネルを順次切り替えて通信を行うことが可能な場合もあり、その場合、移動端末１１０ａが、無線基地局１２０ａ，１２０ｂ，１２０ｃ，１２０ｄと通信チャネルを順次切り替えて通信を行うと、通信チャネルの切り替えによるロスが切り替え回数の差分だけ大きくなってしまう。
【０００６】
このような通信チャネルの切り替えにおける無駄を省く技術として、例えば、ハンドオフ時に、移動端末の移動経路情報に基づいてハンドオフの有効性を判断し、ハンドオフが有効であると判断された場合にのみハンドオフを行い、それにより、ハンドオフ回数を削減する技術が考えられている（例えば、特許文献１参照。）。この技術においては、移動端末の移動経路情報を予め与えておき、移動端末が無線基地局との通信中に他の無線基地局からのパイロット強度がしきい値を超えた場合に、移動端末の移動経路情報が参照され、移動端末が他の無線基地局にハンドオフを行った後に再度元の無線基地局にハンドオフを行うような移動経路を移動端末が辿る場合、ハンドオフが無効とされ、ハンドオフが行われずに移動端末と元の無線基地局との間にて引き続き通信が行われる。
【０００７】
また、移動端末が通信を行う無線基地局が切り替わった場合に、移動端末が通信を行っていた無線基地局と、移動端末が新たに通信を行う無線基地局とから、移動端末の移動方向を決定し、移動端末の移動方向に応じて、移動端末の通信チャネルを切り替える技術が考えられている（例えば、特許文献２参照。）。
【０００８】
【特許文献１】
特開２０００−２５３４３８号公報
【特許文献２】
特開２０００−２９５６４９号公報
【０００９】
【発明が解決しようとする課題】
しかしながら、上述したような従来の技術においては、以下に記載するような問題点がある。
【００１０】
（１）ハンドオフ時に、移動端末の移動経路情報に基づいてハンドオフの有効性を判断し、ハンドオフが有効であると判断された場合にのみハンドオフを行い、それにより、ハンドオフ回数を削減する技術においては、ハンドオフ時に、移動端末がその後どのような経路を辿るかに応じてハンドオフの有効性が判断されることになるが、移動端末の移動経路についての参照範囲、つまり、移動経路情報をどのくらい先まで参照するかによっては、必ずしも、効率的な通信チャネルの切り替えが行われるとは限らない。
【００１１】
（２）移動端末が通信を行う無線基地局が切り替わった場合に、移動端末が通信を行っていた無線基地局と、移動端末が新たに通信を行う無線基地局とから、移動端末の移動方向を決定し、移動端末の移動方向に応じて、移動端末の通信チャネルを切り替える技術においては、移動端末が通信を行う無線基地局が切り替わった場合に、移動端末が通信を行っていた無線基地局と、移動端末が新たに通信を行う無線基地局とから、移動端末の移動方向を決定しなければならないため、処理が煩雑になってしまい、また、移動端末の移動経路が誤って決定されてしまう虞れがある。
【００１２】
本発明は、上述したような従来の技術が有する問題点に鑑みてなされたものであって、移動端末における移動に伴う通信チャネルの切り替えを効率的に行うことができる移動体通信システム及び移動体通信システムにおけるチャネル切替方法を提供することを目的とする。
【００１３】
【課題を解決するための手段】
上記目的を達成するために本発明は、
移動端末と、それぞれ異なる通信チャネルにて前記移動端末と通信を行う複数の無線基地局とを少なくとも有してなる移動体通信システムにおいて、
前記移動端末にて指定される現在位置情報及び目的地情報に基づいて、前記移動端末が、現在位置から目的地までにて通信を行う無線基地局を決定し、経路情報として前記移動端末に通知する経路情報管理手段を有し、
前記移動端末は、移動に伴って通信チャネルを切り替える必要が生じた場合に、前記経路情報管理手段から通知された前記経路情報に基づいて、通信を行う通信チャネルを切り替えることを特徴とする。
【００１４】
また、前記経路情報管理手段は、
前記移動端末にて指定された現在位置情報及び目的地情報が入力される入力手段と、
前記複数の無線基地局の配置情報が記憶された記憶手段と、
前記入力手段を介して入力された前記現在位置情報及び目的地情報に基づいて、前記移動端末の移動経路を少なくとも１つ設定し、前記記憶手段を参照して、設定された移動経路にて通信可能な無線基地局を抽出する処理手段と、
前記処理手段にて抽出された無線基地局が前記移動経路毎に順次指定可能となるような経路情報を前記移動端末に通知する出力手段とを有することを特徴とする。
【００１５】
また、前記移動端末は、前記経路情報管理手段から通知された経路情報を保持し、移動に伴って通信チャネルを切り替える必要が生じた場合に、前記経路情報に基づいて、通信を行う通信チャネルを切り替えることを特徴とする。
【００１６】
また、移動端末と、それぞれ異なる通信チャネルにて前記移動端末と通信を行う複数の無線基地局とを少なくとも有してなる移動体通信システムにおけるチャネル切替方法であって、
前記移動端末の現在位置情報及び目的地情報を指定する処理と、
前記指定された現在位置情報及び目的地情報に基づいて、前記移動端末が、現在位置から目的地までにて通信を行う無線基地局を決定し、経路情報として前記移動端末に通知する処理と、
前記移動端末が移動に伴って通信チャネルを切り替える必要が生じた場合に、前記経路情報に基づいて、通信を行う通信チャネルを切り替える処理とを順次行うことを特徴とする。
【００１７】
また、前記複数の無線基地局の配置情報を記憶しておき、
前記移動端末の前記現在位置情報及び目的地情報が指定された場合に、該現在位置情報及び目的地情報に基づいて、前記移動端末の移動経路を少なくとも１つ設定する処理と、
前記設定された移動経路にて通信可能な無線基地局を、記憶された無線基地局の中から抽出する処理と、
前記抽出された無線基地局が前記移動経路毎に順次指定可能となるような経路情報を前記移動端末に通知する処理とを順次行うことを特徴とする。
【００１８】
また、前記移動端末にて、通知された経路情報を保持しておき、移動に伴って通信チャネルを切り替える必要が生じた場合に、前記経路情報に基づいて、通信を行う通信チャネルを切り替えることを特徴とする。
【００１９】
（作用）
上記のように構成された本発明においては、移動端末にて現在位置情報及び目的地情報が指定されると、経路情報管理手段において、移動端末にて指定された現在位置情報及び目的地情報に基づいて、移動端末が、現在位置から目的地までにて通信を行う無線基地局が決定され、経路情報として移動端末に通知される。その後、移動端末においては、移動に伴って通信チャネルを切り替える必要が生じた場合、経路情報管理手段から通知された経路情報に基づいて、通信を行う通信チャネルが切り替えられる。
【００２０】
このように、移動端末の移動経路に応じて決定された無線基地局群からなる経路情報に基づいて、移動端末の通信チャネルの切り替えが行われるので、移動端末における移動に伴う通信チャネルが効率的に切り替えられる。
【００２１】
【発明の実施の形態】
以下に、本発明の実施の形態について図面を参照して説明する。
【００２２】
図１は、本発明の移動体通信システムの実施の一形態を示す図である。また、図２は、図１に示した経路情報管理装置４０の構成を示すブロック図である。
【００２３】
本形態は図１に示すように、それぞれ通信可能な領域となるセル３０ａ〜３０ｄを有する無線基地局２０ａ〜２０ｄと、セル３０ａ〜３０ｄ間を移動可能に設けられ、存在するセル３０ａ〜３０ｄの無線基地局２０ａ〜２０ｄとの間にて無線基地局２０ａ〜２０ｄの通信チャネルによって通信を行う移動端末１０ａ〜１０ｄと、移動端末１０ａ〜１０ｄにて指定される現在位置情報及び目的地情報に基づいて、移動端末１０ａ〜１０ｄが、現在位置から目的地までにて通信を行う無線基地局２０ａ〜２０ｄを決定し、経路情報として移動端末１０ａ〜１０ｄに通知する経路情報管理装置４０とから構成されている。なお、本形態においては、無線基地局２０ａのセル３０ａ内に移動端末１０ａ，１０ｂが存在し、また、無線基地局２０ｃのセル３０ｃ内に移動端末１０ｃが存在し、また、無線基地局２０ｄのセル３０ｄ内に移動端末１０ｃが存在している。また、無線基地局２０ａ〜２０ｄ及び移動端末１０ａ〜１０ｄの数は、図示したものに限らない。
【００２４】
また、本形態における経路情報管理装置４０は図２に示すように、移動端末１０ａ〜１０ｄにて指定された現在位置情報及び目的地情報が入力される入力部４１と、無線基地局２０ａ〜２０ｄの配置情報が記憶された記憶部４２と、入力部４１を介して入力された現在位置情報及び目的地情報に基づいて、移動端末１０ａ〜１０ｄの移動経路を少なくとも１つ設定し、さらに、記憶部４２を参照して、設定された移動経路にて通信可能な無線基地局を抽出するデータ処理部４３と、データ処理部４３にて抽出された無線基地局が移動経路毎に順次指定可能となるような経路情報を無線基地局２０ａ〜２０ｄを介して移動端末１０ａ〜１０ｄに通知する出力部４４とから構成されている。
【００２５】
以下に、上記のように構成された移動体通信システムにおけるチャネル切替方法について、移動端末１０ａが図１中Ａ地点からＢ地点に移動する場合を例に挙げて説明する。
【００２６】
図３は、図１及び図２に示した移動体通信システムにおけるチャネル切替方法を説明するためのフローチャートである。
【００２７】
まず、移動端末１０ａにて現在位置情報と目的地情報とが入力され、移動端末１０ａと通信を行っている無線基地局２０ａを介して経路情報管理装置４０に通知される（ステップＳ１）。なお、この際、移動端末１０ａは、無線基地局２０ａの通信チャネルによって無線基地局２０ａと通信を行っている。また、移動端末１０ａ〜１０ｄにおいては、現在位置情報や目的地情報を入力可能なユーザインタフェースが設けられており、移動端末１０ａ〜１０ｄのユーザは、このユーザインタフェースを介して現在位置情報及び目的地情報を移動端末１０ａ〜１０ｄに入力することになる。
【００２８】
移動端末１０ａから無線基地局２０ａを介して通知された現在位置情報及び目的地情報は、入力部４１を介して経路情報管理装置４０にて受け取られる（ステップＳ２）。
【００２９】
経路情報管理装置４０においては、地図情報、並びに無線基地局２０ａ〜２０ｄの配置情報が記憶部４２に記憶されており、データ処理部４３において、まず、記憶部４２に記憶された地図情報が参照され、入力部４１を介して受け取られた現在位置情報及び目的地情報に基づいて、移動端末１０ａの現在位置及び目的地の緯度・経度が特定され、移動端末１０ａの現在位置から目的地までの移動経路が複数パターン設定される。
【００３０】
次に、データ処理部４３において、記憶部４２に記憶された無線基地局２０ａ〜２０ｄの配置情報が参照され、設定された移動経路パターン毎に、移動端末１０ａが移動に伴って順次通信を行っていく無線基地局群からなる経路情報が設定され（ステップＳ３）、経路情報テーブルとしてまとめられ、記憶部４２に記憶されるとともに、出力部４４から無線基地局２０ａを介して移動端末１０ａに通知される（ステップＳ４）。
【００３１】
図４は、図１に示した移動端末１０ａがＡ地点からＢ地点まで移動する場合に経路情報管理装置４０にて作成される経路情報テーブルの一例を示す図であり、（ａ）は設定された経路候補を示す図、（ｂ）は（ａ）に示した経路候補のうち選択されなかった経路候補２が削除された状態を示す図である。
【００３２】
図４（ａ）に示すように、経路情報管理装置４０のデータ処理部４３において、移動端末１０ａがＡ地点からＢ地点まで移動する場合の経路情報が２パターン設定される。
【００３３】
経路情報管理装置４０から無線基地局２０ａを介して移動端末１０ａに通知された経路情報は、図４に示したようなテーブルの状態で移動端末１０ａにて受け取られ（ステップＳ５）、保持される。
【００３４】
その後、移動端末１０ａにおいて、現在通信を行っている無線基地局２０ａからの受信電界強度が低下し、通信チャネルを切り替える必要があると判断された場合（ステップＳ６）、その状態にて他に通信可能な無線基地局の中から、図４に示した経路情報テーブルにて次に通信が行われるべき無線基地局２０ｂが選択され、通信チャネルがこの無線基地局２０ｂの通信チャネルに切り替えられ（ステップＳ７）、通信が行われる（ステップＳ８）。
【００３５】
なお、移動端末１０ａにおいては、図４に示した経路候補１，２のうち、優先順位が高い経路候補１が選択されたため、図４（ｂ）に示すように、経路情報管理装置４０から通知された経路情報テーブルから経路候補２が削除され、経路情報テーブルが更新される。
【００３６】
その後、経路情報管理装置４０において、移動端末１０ａが通信チャネルを切り替えたことが無線基地局２０ｂを介して取得され、移動端末１０ａと同様に、記憶部４２に記憶されている経路情報テーブルが更新される。
【００３７】
また、経路情報管理装置４０においては、移動端末１０ａ〜１０ｄの移動が監視されており、移動端末１０ａ〜１０ｄの移動経路によって、あるいは、テーブル内の移動経路パターンが少なくなったことによって、記憶部４２に記憶された移動経路を補正する必要が発生した場合には、データ処理部４３において、移動端末１０ａ〜１０ｄの移動経路が再設定され、記憶部４２に記憶され、差分情報が出力部４４から移動端末１０ａ〜１０ｄに通知される。移動端末１０ａ〜１０ｄにおいては、経路情報管理装置４０から通知された差分情報に基づいて、経路情報テーブルが更新される。
【００３８】
上述したように、移動端末１０ａ〜１０ｄの移動に伴って通信チャネルを切り替える必要が生じた際に、移動端末１０ａ〜１０ｄの現在位置情報と目的地情報によって設定された経路情報による無線基地局の通信チャネルに切り替えられる構成としたため、移動端末１０ａ〜１０ｄは、必要最低限のチャネル切り替え処理にて目的地までの通信もしくは通話が可能となる。また、上述したように移動端末１０ａ〜１０ｄの移動経路によって経路情報テーブルを更新すれば、さらに効率的なチャネルの切り替えを行うことができる。
【００３９】
（他の実施の形態）
上述した移動端末１０ａ〜１０ｄにナビゲーションシステムを実装しておけば、移動端末１０ａ〜１０ｄの現在位置情報が指定された場合、その精度が向上し、それにより、移動経路パターンを設定する際の精度が向上する。
【００４０】
【発明の効果】
本発明は以上説明したように、移動端末の移動経路に応じて決定された無線基地局群からなる経路情報に基づいて、移動端末の通信チャネルの切り替えが行われるため、移動端末の移動に伴う通信チャネルの切り替え回数が削減され、それにより、データ通信時のけるデータ送受信のロスが低減され、無線資源の効率的な利用を図ることができる。
【図面の簡単な説明】
【図１】本発明の移動体通信システムの実施の一形態を示す図である。
【図２】図１に示した経路情報管理装置の構成を示すブロック図である。
【図３】図１及び図２に示した移動体通信システムにおけるチャネル切替方法を説明するためのフローチャートである。
【図４】図１に示した移動端末がＡ点からＢ点まで移動する場合に経路情報管理装置にて作成されるテーブルの一例を示す図であり、（ａ）は設定された経路候補を示す図、（ｂ）は（ａ）に示した経路候補のうち選択されなかった経路候補が削除された状態を示す図である。
【図５】従来の移動体通信システムの一構成例を示す図である。
【符号の説明】
１０ａ〜１０ｄ    移動端末
２０ａ〜２０ｄ    無線基地局
３０ａ〜３０ｄ    セル
４０    経路情報管理装置
４１    入力部
４２    記憶部
４３    データ処理部
４４    出力部
【図１】
2004363876.tif 000003
【図２】
2004363876.tif 000004
【図３】
2004363876.tif 000005
【図４】
2004363876.tif 000006
【図５】
2004363876.tif 000007